(57)【特許請求の範囲】
【請求項１】
表示部と、前記表示部を格納する筺体を備えた案内表示器において、
前記筺体は、外部に面する面の内、少なくとも１面が透明板を用いて構成され、
前記透明板は、樹脂板、赤外線吸収層、極薄ガラス層、反射防止フィルム、からなり、前記樹脂板の外側に前記赤外線吸収層を配置し、前記赤外線吸収層の外側に前記極薄ガラス層を配置し、前記極薄ガラス層の外側に前記反射防止フィルムを配置することにより構成され、
前記表示部は、前記透明板との間に冷却用の空気を流す空間を開けて配置され、
前記反射防止フィルムは、樹脂フィルムと反射防止層で構成し、前記樹脂フィルムはガラスの飛散防止機能を持ち、前記反射防止層はガラスとの屈折率の差を利用して反射防止の機能を発することを特徴とする案内表示器。
【請求項２】
請求項１に記載の案内表示器において、前記透明板は樹脂板によって支持強度が得られることを特徴とする案内表示器。
【請求項３】
請求項１乃至請求項2のいずれか一つに記載の案内表示器において、前記表示部の前面を通過した空気と後面を通過した空気の両方を流す換気ファンを備えることを特徴とする案内表示器。
【請求項４】
請求項3に記載の案内表示器において、前記表示部の後面を通過する空気を限定するためのファン流路用ダクトを備えることを特徴とする案内表示器。
【請求項５】
請求項4に記載の案内表示器において、前記ファン流路用ダクトは、前記表示部に吸気される空気の量と、前記表示部から排気される空気の量を調整することができることを特徴とする案内表示器。
【請求項６】
請求項3乃至請求項5のいずれか一つに記載の案内表示器において、前記換気ファンは、空気が暖まることで生じる浮力と同じ向きに空気を流すことを特徴とする案内表示器。
【請求項７】
請求項3乃至請求項6のいずれか一つに記載の案内表示器において、前記換気ファンを前記筺体の上部に配置し、
前記換気ファンを密封せずに覆い、前記換気ファンから排気される空気の排出口を前記筺体の横方向に向ける雨水用カバーを設けることにより、上方及び横方向からの雨水の浸入を防ぐことを特徴とする案内表示器。
【請求項８】
請求項3乃至請求項7のいずれか一つに記載の案内表示器において、前記表示部の下部に配置され前記表示部と前記透明板の間に空気を流す風量支援用ファンを備えることを特徴とする案内表示器。
【請求項９】
請求項8に記載の案内表示器において、前記風量支援用ファンを制御し空気の流量を調整する風量支援用ファン制御器を備え、
前記風量支援用ファン制御器は、年、季節、月、日付、曜日、時間、または、時間帯に基づいて前記風量支援用ファンを制御し空気の流量を調整する機能を持つことを特徴とする案内表示器。
【請求項１０】
請求項9に記載の案内表示器において、前記表示部は前記表示部の温度を測定しその温度データを出力する温度センサを備え、
前記風量支援用ファン制御器は、前記温度センサが出力する前記温度データを受信し、前記温度データに基づいて前記風量支援用ファンを制御し空気の流量を調整する機能を持つことを特徴とする案内表示器。
【請求項１１】
請求項１乃至請求項１0のいずれか一つに記載の案内表示器において、前記表示部を傾け、前記表示部の表示面から前記筺体の外側に向かう法線ベクトルの向きが水平面より下の方向に向くことを特徴とする案内表示器。
【請求項１２】
請求項１乃至請求項１1のいずれか一つに記載の案内表示器において、前記表示部は、液晶モジュールであることを特徴とする案内表示器。
【請求項１３】
請求項１乃至請求項１2のいずれか一つに記載の案内表示器において、前記極薄ガラス層は、厚さが０．３ｍｍ以下であることを特徴とする案内表示器。
【請求項１４】
請求項１乃至請求項１3のいずれか一つに記載の案内表示器において、前記赤外線吸収層は、金属酸化物粒子を含有させて構成することを特徴とする案内表示器。
【請求項１５】
表示部と、前記表示部を格納する筺体を備えた案内表示器において、
前記筺体は、外部に面する面の内、少なくとも１面が透明板を用いて構成され、
前記透明板は、樹脂板、赤外線吸収層、極薄ガラス層、反射防止フィルム、からなり、前記樹脂板の外側に前記赤外線吸収層を配置し、前記赤外線吸収層の外側に前記極薄ガラス層を配置し、前記極薄ガラス層の外側に前記反射防止フィルムを配置することにより構成され、
前記表示部は、前記透明板との間に冷却用の空気を流す空間を開けて配置され、
前記表示部の前面を通過した空気と後面を通過した空気の両方を流す換気ファンを備え、
前記表示部の後面を通過する空気を限定するためのファン流路用ダクトを備え、
前記ファン流路用ダクトは、前記表示部に吸気される空気の量と、前記表示部から排気される空気の量を調整することができることを特徴とする案内表示器。
【請求項１６】
表示部と、前記表示部を格納する筺体を備えた案内表示器において、
前記筺体は、外部に面する面の内、少なくとも１面が透明板を用いて構成され、
前記透明板は、樹脂板、赤外線吸収層、極薄ガラス層、反射防止フィルム、からなり、前記樹脂板の外側に前記赤外線吸収層を配置し、前記赤外線吸収層の外側に前記極薄ガラス層を配置し、前記極薄ガラス層の外側に前記反射防止フィルムを配置することにより構成され、
前記表示部は、前記透明板との間に冷却用の空気を流す空間を開けて配置され、
前記表示部の前面を通過した空気と後面を通過した空気の両方を流す換気ファンを備え、
前記換気ファンを前記筺体の上部に配置し、
前記換気ファンを密封せずに覆い、前記換気ファンから排気される空気の排出口を前記筺体の横方向に向ける雨水用カバーを設けることにより、上方及び横方向からの雨水の浸入を防ぐことを特徴とする案内表示器。
【請求項１７】
表示部と、前記表示部を格納する筺体を備えた案内表示器において、
前記筺体は、外部に面する面の内、少なくとも１面が透明板を用いて構成され、
前記透明板は、樹脂板、赤外線吸収層、極薄ガラス層、反射防止フィルム、からなり、前記樹脂板の外側に前記赤外線吸収層を配置し、前記赤外線吸収層の外側に前記極薄ガラス層を配置し、前記極薄ガラス層の外側に前記反射防止フィルムを配置することにより構成され、
前記表示部は、前記透明板との間に冷却用の空気を流す空間を開けて配置され、
前記表示部の前面を通過した空気と後面を通過した空気の両方を流す換気ファンを備え、
前記表示部の下部に配置され前記表示部と前記透明板の間に空気を流す風量支援用ファンを備え、
前記風量支援用ファンを制御し空気の流量を調整する風量支援用ファン制御器を備え、
前記風量支援用ファン制御器は、年、季節、月、日付、曜日、時間、または、時間帯に基づいて前記風量支援用ファンを制御し空気の流量を調整する機能を持つことを特徴とする案内表示器。
【請求項１８】
表示部と、前記表示部を格納する筺体を備えた案内表示器において、
前記筺体は、外部に面する面の内、少なくとも１面が透明板を用いて構成され、
前記透明板は、樹脂板、赤外線吸収層、極薄ガラス層、反射防止フィルム、からなり、前記樹脂板の外側に前記赤外線吸収層を配置し、前記赤外線吸収層の外側に前記極薄ガラス層を配置し、前記極薄ガラス層の外側に前記反射防止フィルムを配置することにより構成され、
前記表示部は、前記透明板との間に冷却用の空気を流す空間を開けて配置され、
前記表示部は、液晶モジュールであることを特徴とする案内表示器。
【請求項１９】
表示部と、前記表示部を格納する筺体を備えた案内表示器において、
前記筺体は、外部に面する面の内、少なくとも１面が透明板を用いて構成され、
前記透明板は、樹脂板、赤外線吸収層、極薄ガラス層、反射防止フィルム、からなり、前記樹脂板の外側に前記赤外線吸収層を配置し、前記赤外線吸収層の外側に前記極薄ガラス層を配置し、前記極薄ガラス層の外側に前記反射防止フィルムを配置することにより構成され、
前記表示部は、前記透明板との間に冷却用の空気を流す空間を開けて配置され、
前記赤外線吸収層は、金属酸化物粒子を含有させて構成することを特徴とする案内表示器。
【発明の詳細な説明】
【技術分野】
【０００１】
本発明は、駅などの公共空間において案内情報などを表示する案内表示器に係わり、特に液晶ディスプレイを用いて多彩な情報を表示する案内表示器に関する。
【背景技術】
【０００２】
屋外で液晶ディスプレイを用いるための技術として、特許文献１に示される技術がある。特許文献１には、「第１のファンと第２のファンで液晶モジュールの両面を冷却できるため、冷却能力が高い。液晶モジュールの寿命を長くできる。また、温度センサなどを用いて、第１のファンと第２のファンの駆動時間や駆動方法を制御することによって、最適な冷却をおこないつつ、各ファンの寿命を長く、フィルタ交換の間隔も長くできる。さらに、温度センサなどを用いて、バックライトの輝度を変更するため、第１のファンと第２のファンの冷却をアシストしたり、液晶モジュールの寿命を長くできる。赤外線カットフィルムによって、液晶モジュールの前面の温度上昇を抑制することが出来る。」と記載されている。
【０００３】
日射による熱をカットすることの他にも、液晶ディスプレイを活用する際に問題になることに複合的に対処するための技術として、特許文献２に示される技術がある。特許文献２では、「本発明の目的は、下記の前面板により達成された。
（１）１枚又は２枚の透明支持体、染料およびポリマーバインダーを含む可視光を吸収するする可視フィルター層、赤外線遮蔽機能と電磁波遮蔽機能の単独あるいは両
方の機能を有する遮蔽フィルター層、可視光に対する反射防止能を有する反射防止層を備えた画像表示装置用の前面板。」と記載されている。
【先行技術文献】
【特許文献】
【０００４】
【特許文献１】特開２０１１−１５００３４号公報
【特許文献２】特開２０００−２５０４２０号公報
【発明の概要】
【発明が解決しようとする課題】
【０００５】
駅のホームのような場所で案内表示を行う場合、表示情報の見易さが確保されることの他、屋外の環境に置かれることで機器が故障しやすい状態にあってもそれに耐えられうこと、および、一般の人が怪我をしないようにするための安全性の確保、の３点を同時に解決する必要がある。この３点の課題のうち、いづれか２つを解決するのみで、１つは未解決のままでおくと、駅などの公共空間で液晶ディスプレイを用いて多彩な情報を伝達する案内表示器としては成立しえず、必ず３点を同時に解決する必要がある。
【０００６】
また、液晶ディスプレイは他の仕組みの画像表示装置に比べて、高精細な画像を表示できる特徴を持つ。その一方で、液晶素子が高温に対して弱い上に、液晶素子が光を発する訳ではないため、必ずバックライトが必要になり、このバックライトの発熱も液晶素子の温度を上げる要因になっている。このため、屋外で使用するための表示器を構成するには、日射による熱とバックライトの熱の両方を放熱して、液晶素子が正常に機能する温度におさまるように構成する必要がある。よって、液晶ディプレイの特性を生かした高精細な画像での案内情報の表示を行うには、このような液晶素子特有の課題の解決も必要になる。
【課題を解決するための手段】
【０００７】
本発明の案内表示器は、表示部と、表示部を格納する筺体を備え、筺体は、外部に面する面の内、少なくとも１面が透明板を用いて構成され、透明板は、樹脂板、赤外線吸収層、極薄ガラス層、反射防止フィルム、からなり、樹脂板の外側に赤外線吸収層を配置し、赤外線吸収層の外側に極薄ガラス層を配置し、極薄ガラス層の外側に反射防止フィルムを配置することにより構成され、表示部は、透明板との間に冷却用の空気を流す空間を開けて配置して構成する。
【発明の効果】
【０００８】
本発明によれば、透明板での反射防止が図られて画面の見易さが確保されるとともに、液晶画面を空気で直接冷却して液晶素子の温度上昇を防止し、かつ、透明板の赤外線吸収層で日射に含まれる赤外線を減らすことで、液晶モジュールが受ける熱を減らしつつ、可視光の低減は避けることで、画像の光は十分に通して見易さを保つ。なおかつ、透明板の強度を樹脂板で担うことでガラスで構成する場合よりも軽くなって安全性が増すとともに、ガラスの破片が飛散するような危険性を排除することができる。
【図面の簡単な説明】
【０００９】
【図１】実施例１の断面構造図。
【図２】実施例１の透明板の構成。
【図３】実施例２の断面構造図。
【図４】実施例３の断面構造図。
【図５】実施例４、実施例５、実施例６の断面構造図。
【図６】実施例７の断面構造図。
【図７】実施例１のファン流路用ダクト８の構造図。
【図８】実施例２のファン流路用ダクト１０の構造図。
【図９】実施例７のファン流路用ダクト１６の構造図。
【発明を実施するための形態】
【００１０】
以下、実施例を図面を使用して具体的に説明する。
【実施例１】
【００１１】
図１、図２は第１の実施例を説明するための図である。
【００１２】
図１に示す液晶案内表示器１００は、液晶モジュール１と、それに表示する画像情報を制御する制御器３の両方を筺体４で覆うことで、屋外に設置した場合にさらされることになる風雨や砂埃から液晶モジュール１および制御器３を守っている。
【００１３】
この目的に対しては、筺体を完全に密閉することも考えられるが、そうすると放熱が困難になるため、密閉構造にはせず、空気の出入りが出来るようにしている。筺体の内部に流入する空気は全てフィルター６を通過させることで、砂や埃を取り除く。フィルター６の吸込み面にはルーバー１３を設け、空気の流入方向を斜め下にすることで、大きなゴミと雨水の侵入を防止する。その上で、繊維状のフィルター６を用いてより細かいゴミを取り除くのがよい。
【００１４】
細かいゴミを取り除かずに空気を取り込み、その空気を液晶モジュール１の冷却に用いると、液晶モジュール１や制御器３の内部にゴミが入り込み、それが電気回路に付着し、電気回路がショートする可能性がある。これを避けるために、フィルター６を設ける。繊維状のフィルターを用いる場合は、その内部にゴミが蓄積され、時間の経過とともに空気が通過しにくくなるので、定期的にフィルターを交換する必要がある。
【００１５】
また、海岸にある程度近い地域では、海水の塩分の細かい飛沫が空気中を浮遊していることがあり、これが電気回路に触れると回路を腐食させることがあるため、塩分を吸着して除去する能力が高いフィルターを用いても良い。
【００１６】
筺体４に流入する空気は換気ファン５によって吸入され、ファンを通過した空気が筺体４の外部に放出される。液晶モジュール１を冷却した空気は熱交換によって温度上昇することから浮力が生じる。この浮力を有効活用することで換気ファン５の負荷を減らすことが出来る。温まることで浮力が生じた空気は上へと流れるので、上に空気の出口があれば、自然に空気が出て行き、換気ができる。
【００１７】
ただし、自然対流による空気の駆動だけでは必要な流量が不足するため、ファンを利用する。自然対流とファンによる強制対流の向きがそろえば、その分、ファンの負荷の低減が図られる。この原理を利用するために、空気を放出する箇所を筺体の一番高い所に配置し、換気ファン５は上向きに空気を流す。
【００１８】
案内表示器は、一定の画面の面積が必要であることから、図１の紙面の奥行き方向に一定の幅が必要であるのに対し、画面に対して垂直方向の筺体の厚さに関しては、薄くした方が設置面積が少なくなるので望ましい。
【００１９】
換気ファン５にプロペラファンを用いる場合、流す空気の流量に応じてそのプロペラを大きくする必要があるが、それによって筺体の厚さが増すのは好ましくない。よって、必要な筺体の厚さにプロペラファンの大きさが収まらない時は、大きさに収まるファンを用いた上で、そのファンを図１の紙面厚さ方向に並べて使用しても良い。また、その他の手段として、換気ファン５にクロスフローファンを用い、クロスフローファンの長手方向を図１の紙面厚さ方向にあてることもできる。
【００２０】
また、空気を放出する出口部においては、雨水の侵入の防止と、空気の流れの抵抗の抑制を両立する必要がある。空気の放出口を上に向けると、流れの抵抗を低くするにはよいが、雨水が筺体内に侵入してしまう。そこで雨水用カバー７を設け、上から降ってくる雨水の侵入防止を図る。
【００２１】
雨水用カバー７があることで、換気ファン５を出た空気は上向きから横向きに流れの方向が変わる。これにより、雨水が侵入しにくくなるが、それでも台風のように横風が強い状態で雨が降っていると、開口が横向きになっているだけでは雨水が入り込んでしまう場合がある。そのため、雨水用カバー７は端を折り曲げることで、水平に降ってくる雨水の侵入も防止する。放出する空気の流れとしては、雨水用カバー７の端が折り曲がっていることで、抵抗が増えるが、雨水用カバー７の全周を広げることで、流路断面積を広げ、空気の流速を下げることによって、流れが曲がる際の抵抗を下げることができる。
【００２２】
液晶モジュール１は、画面に日射が当たることで熱を受ける他、バックライトやその他の電気回路の発熱もある。液晶モジュール１が健全に動作するための温度条件としては、液晶素子が一定温度以上にならないようにすることの他、電気回路の温度も一定温度以下に保つ必要がある。液晶素子は日射を直接受けることで、温度上昇しやすい状況にあるのに対し、その裏に配置される電気回路は、液晶素子ほど熱的に厳しい状況にはないが、熱的により弱い部品が存在するため、許容できる温度レベルはむしろ液晶素子よりも低い。よって、液晶モジュールの裏側に存在する電気回路は、液晶素子よりも温度上昇を抑える必要がある。
【００２３】
そのため、ファン流路用ダクト８を用いて換気ファン５が吸込む空気を規制する。ファン流路用ダクト８の構造図を図７に示す。すなわち、換気ファン５は、液晶モジュール１の表側を通過した空気を吸い込むと同時に、裏側を通過した空気も吸い込み、その裏側を通過する空気は、液晶モジュール１の電気回路の冷却に寄与する空気だけに限定するためにファン流路用ダクト８を設ける。液晶モジュール１の裏側で、モジュールから離れた場所の空気は電気回路の冷却に寄与することができず、その空気を換気ファン５が吸い込むと、その分、冷却に寄与している空気の吸込み減ってしまう。そのため、冷却に寄与する空気のみを換気ファン５が吸い込むように流路を構成することは、必要な箇所への冷却空気の流量を確保し、効率的な冷却を行う上で有効となる。
【００２４】
液晶モジュール１の画面が人の目の高さと同程度の場合、画面は垂直にすることで見易くなる。直射日光は、一般に斜め上から差し込むため、液晶の画面が直射日光を垂直に受けることはあまりない。斜めからの日射であっても、垂直面が受ける日射のエネルギーは１ｍ２あたり８００Ｗを超えることも多分にある。これは液晶の画面の面積が１ｍ２であった場合、その画面が８００Ｗの発熱を行うことと同じであり、通常の液晶モジュールの消費電力よりはるかに大きい。よって、直射日光を受ける屋外で液晶の案内表示器を使用する際は、液晶の画面を最も冷やす必要がある。このため、液晶モジュール１と透明板２の間に隙間を設け、ここに積極的に空気を流して冷却することが、有効な手段となる。
【００２５】
その場合、液晶の画面から空気に伝達される熱量は、画面の手前にある空気の温度と画面の温度の温度差に比例し、その比例係数は熱伝達率と呼ばれる。この冷却用の空気の流量が少ないと、画面から伝達された熱量で空気の温度が上昇し、それによって画面と空気の温度が小さくなるので、伝達される熱量が少なくなる。放熱性能が不十分な場合は、液晶素子の温度が上昇して、許容温度を超えることになるため、この温度を守るためには、液晶モジュール１の画面の前に流す空気の流量を必要十分な量に確保する必要がある。
【００２６】
また、温度差に比例して熱量が伝達される際の比例係数である熱伝達率は、流速が速いほど上昇する性質をもつ。よって、空気流量が同じ時は、画面と透明板２の隙間を狭くして、流速を速くした方が熱伝達率が増加し、冷却性能が向上する。
【００２７】
ただし、隙間を狭くすると、同じ流速でも隙間の距離に反比例して圧力損失が大きくなり、流速が大きくなるとその２乗に比例して圧力損失が大きくなる。よって、同じ空気流量で隙間を狭くしていくと、隙間の距離の３乗に反比例して圧力損失が大きくなる。
【００２８】
よって、冷却系を構築するにあたっては、熱交換に必要な空気の流量と熱伝達率、および、その空気を流すことで生じる圧力損失をファンが賄えるかを見ながら検討する必要がある。一般に、ファンの負荷は流す空気の流量と、持ち上げる圧力の圧力差の積で決まる。換気ファン５の負荷を減らすには、低流量の空気で冷やせるようにすることと、流路全体での圧力損失を下げることが必要になる。また、一般的にファンは負荷が大きくなるほど発生する騒音が大きくなることから、ファンの稼働に伴う騒音を低減する目的からも、冷却の効率をよくして、ファンの負荷が下がるように冷却系を構築するのがよい。
【００２９】
図２に、このような冷却の負荷を低減するための、透明板２に関する発明の構成を示す。
【００３０】
ファンによる冷却の負荷を下げるためには、直射日光で入射するエネルギーを減らすことが非常に有効になる。例えば、液晶の画面が１ｍ２あって、日射のエネルギーが８００Ｗ/ｍ２であった場合、入射するエネルギーを１割減らすと、８０Ｗの発熱を減らしたことになり、冷却の負荷を低減する効果が大きい。
【００３１】
しかし、透明板２の光の透過率を単純に１割下げると、液晶画面が発している光の透過も１割下がることになり、画面の情報がその分見え難くなる。そのため、図２に示した透明板２の構成により、可視光の透過率を落とすことなく、可視光以外の光の透過を減らしている。
【００３２】
太陽光の光の成分を波長ごとに見た場合、可視光の領域以外では、赤外線の領域のエネルギーが大きいことから、赤外線のみを遮断できると、画面の見易さを損なうことなく、冷却負荷を低減することができる。赤外線を遮断する方法には、透明板の中に微粒子を存在させ、それによって赤外線を反射させる手法と吸収する手法がある。
【００３３】
赤外線を反射させる場合、微量ではあるが可視光の反射も同時に生じてしまう。可視光の反射が生じるとそれがわずかであっても、画像の中にその光が入り込むことになることから、画像が見辛くなる。よって、図２の赤外線吸収層２３に、赤外線の吸収率が高い金属酸化物の微粒子を含有させることで、可視光の通過を妨げずに赤外線を吸収し、画像の見易さを保って冷却負荷の低減を果たしている。
【００３４】
液晶モジュール１の画像の見易さを確保するためには、透明板の表面で生じる反射を減らすことも重要となる。透明板２が液晶モジュール１の画面に接している時は、その接触面での反射は起きないため、透明板２の表側にだけ反射防止フィルム２１を貼ればよい。その場合、可視光の反射防止は果たせても、前述の冷却作用を果たせなくなる。このため、液晶モジュール１と透明板２の間に空気の流路を設けて、画面の冷却を行い、それによって生じる透明板２と空気流路の界面にも反射防止フィルム２８を貼る。
【００３５】
反射防止の原理には、空気との屈折率の差を小さくして、反射を減らす方法の他に、反射光の干渉を利用して反射を打ち消し、減らす方法がある。反射防止フィルム２１、２８は、光の干渉の原理を使うことで、反射防止の性能を高めている。すなわち、反射防止フィルム２１を光が通過する際、フィルムが空気と接している界面での反射と、フィルムが極薄ガラス２２と接している界面での反射の両方が同時に生じる。この際、空気との界面の反射光と、ガラスとの界面の反射光の位相が逆位相でかつ振幅が同じである時、両者は干渉によって打ち消され、両界面の反射がなくなる。
【００３６】
これを実現するために、空気、反射防止フィルム、ガラスの屈折率の関係、および、反射防止フィルムの厚さを調節する。そのため、これらの関係が適正になっている時のみ、高い反射防止性能が得られる。よって、反射防止フィルム２１、２８はいずれも極薄ガラス２２、２７に貼りつける。
【００３７】
仮に、反射防止フィルム２１を樹脂板２５に貼っても、樹脂の屈折率はガラスと異なることから、十分な反射防止性能は得られない。さらに、反射防止フィルムは樹脂フィルムに反射防止層を重ねて構成することで、適正な屈折率と厚さに管理しやすくなる他、樹脂フィルムがガラスが破損した時の破片をつなぎとめ、破片の飛散を防止する。さらに、この樹脂フィルムの材質にはＰＥＴ（ポリエチレンテレフタレート）を用いることが、透明度を高く保つために有効である。
【００３８】
反射防止フィルムを十分に機能させるために配置する極薄ガラス２２、２７は、厚さを０．３ｍｍ以下にすることで、曲げても割れにくくなると同時に、万が一割れた場合でも、破片が飛散しにくくなる。ガラスの厚さが薄いことで、割れた時にできる破片の曲げ剛性が弱く、曲げ力に対する追従が良くなる。このため、反射防止フィルムから剥脱しにくくなり、万が一の時でも破片の飛散を防止できる。仮に、ガラスの厚さが１ｍｍだったとした場合、その厚さではある程度の剛性を発揮するため、割れた時の破片に危険性が残るが、０．３ｍｍ以下にすることで、十分な安全性が確保される。
【００３９】
透明板２としては、平面度を保つためにある程度の剛性が必要であり、その強度は樹脂板２５によって担われる。もし、透明板の平面度が保たれず、板が湾曲していると、それを通して見える画像も湾曲してしまう。このため、もし、人が透明板２に触れることがあっても、それによって板が湾曲しないような剛性が必要となる。
【００４０】
もし、強度を担う芯材に樹脂でなくガラスを用いる場合、樹脂よりもヤング率が高いことで、厚さを薄くできる利点があるが、密度が大きいために一般に重量が重くなる。このため、樹脂板で構成することで、透明板２が軽くなり、落下した時のエネルギーが小さくなり、安全になる他、ガラスのように割れて破片が飛散する危険性がない点でも安全性が高くなる。
【００４１】
さらに、樹脂板２５の材質にポリカーボネイトを使用するのが適しており、これは他の透明な樹脂材に比べて、衝撃を受けた時の壊れにくさに優れ、かつ、耐熱温度が高い特性を持つ。このため、ポリカーボネイトを用いることが、人が通行して、かつ、直射日光によって高温になる環境下で使用するのに適している。
【００４２】
樹脂板２５の両面には、粘着層２４、２６を設け、これに接する層との接着を果たす。
【００４３】
赤外線吸収層２３は、赤外線を吸収することで、その分のエネルギーが、この層の中で熱に変わる。よって、日射を受ける際、赤外線吸収層２３は発熱することになるが、この層を樹脂板２５より外側に配置することで、吸収による発熱が、筺体の内側に伝わるのを防止できる。
【００４４】
一般に、金属と比べるとガラスの熱伝導率は１桁以上低く、さらに樹脂の熱伝導率はガラスより１桁低い。また、透明板２の強度のほとんどを樹脂板２５が担うため、透明板の厚さのほとんどを樹脂板が占める程度に厚くなる。熱伝導による熱の伝わりは、板厚が厚いほど伝わりにくく、かつ、熱伝導率が低いほど伝わりにくい。このため、透明板２の中でも樹脂板２５の熱抵抗が極めて大きく、赤外線吸収層２３が発熱しても、その熱が筺体の内側に伝わる上で、樹脂板２５が抵抗となる。このため、赤外線吸収層２３が樹脂板２５よりも外側にあることで、筺体の内側への熱の伝わりが減り、筺体内での冷却負荷を低減することができる。
【００４５】
以上の透明板と筺体の構成により、画面の見易さ、屋外使用に耐えられる丈夫さ、付近を歩行する人への安全性の３点を同時に確保たした上で、液晶ディスプレイ特有の高精細な画像を通じた案表示を行うことが可能になる。
【実施例２】
【００４６】
図３により、第２の実施例を説明する。第１の実施例と機能が同じになる箇所は、同じ符号を付けることで説明を省略する。
【００４７】
第２の実施例における液晶案内表示器１０１においては、液晶モジュール１の下側に風量支援用ファン９を備えている。このファンは換気ファン５の負荷を減らすためのものであり、風量支援用ファン９が仕事を担う分、換気ファン５の能力を下げることが出来る。
【００４８】
液晶モジュール１と透明板２の隙間を流れて液晶の画面を冷却する空気は、フィルター６から風量支援用ファン９を通過し、液晶モジュール１と透明板２の隙間を流れた後、換気ファン５を通過し、雨水用カバー７の流路を通じて外部に放出される。この経路の入口から出口までの間に生じる圧力損失を風量支援用ファン９と換気ファン５が担うことになるため、風量支援用ファン９が担う圧力差の分だけ、換気ファン５が担う圧力差が小さくて済む。このため、第１の実施例の構成と比べて、必要な冷却能力が同じ場合は、換気ファン５を流れる空気の流量は変わらないが、必要な圧力差は小さくて済む。
【００４９】
一般に、同じ流量のファンであっても、圧力差が小さいファンの方が負荷が小さいため、発生する騒音が小さくて済む。換気ファン５は、空気の出口に近いため、発した騒音が外に放出されやすい。このため、ファンの騒音が大きい時は、付近を通行する人の耳にも騒音が届きやすく、快適さを損なう恐れがある。
【００５０】
第２の実施例のように構成することで、換気ファン５の負荷を減らすと、騒音も低減され、付近を通行する人への快適性が向上する。また、風量支援用ファン９が騒音を発したとしても、筺体内の深い位置になるため、筺体の外への音の放出が少なくて済む。また、２つのファンで圧力を分担していることから、風量支援用ファン９が発する騒音自体が小さくて済む。
【００５１】
風量支援用ファン９から流出した空気は、液晶モジュール１の画面全体を冷やすために用いられることから、風量支援用ファン９の空気出口は、液晶モジュールの幅に広がっていると都合がよい。そのような扁平な出口を持つファンとしては、クロスフロー型のファンを用いるのがよい。一方、換気ファン５はファンとしての効率を重視するのがよく、プロペラ型のファンを用いるのが適している。
【００５２】
風量支援用ファン９を用いて、液晶モジュール１の表側の流れの支援のみを行うと、その分、裏側を流れる空気の流量は減ってしまう。これによって、液晶モジュール１の電気回路を冷却する能力が不足しないように、ファン流路用ダクト１０を適切な形状にして、必要な風量を確保するようにする。
【００５３】
ファン流路用ダクト１０の構造図を図８に示す。たとえば、液晶モジュール１の背面全体に通気用の穴がメッシュ状にある場合、ファン流路用ダクト１０の液晶モジュール１に近接あるいは接する部分の位置を調整することにより、液晶モジュール１への空気の吸気量、排気量を調整することができる。すなわち、ファン流路用ダクト１０で覆われた部分にある液晶モジュール１の背面の通気用の穴からは換気ファン５により空気が吸い出されるので、液晶モジュール１の排気用の穴となる。ファン流路用ダクト１０で覆われていない部分にある液晶モジュール１の背面の通気用の穴には、ルーバー１３から入った筺体外の空気が入るので、液晶モジュール１の吸気用の穴となる。
【００５４】
このように、ファン流路用ダクト１０の液晶モジュール１に近接あるいは接する部分の位置を調整することにより、液晶モジュール１の吸気用の穴と排気用の穴の量を調整し、空気の吸気量、排気量を調整することができ、液晶モジュール１内を通る空気の量を調整することができる。
【実施例３】
【００５５】
図４により、第３の実施例を説明する。ここでも、第１の実施例と機能が同じになる箇所は、説明を省略する。
【００５６】
第３の実施例における液晶案内表示器１０２においては、筺体１１の両面に案内表示用の画面があり、液晶モジュール１と透明板２の組み合わせが２セット存在する。液晶モジュールが２つあっても、全く同じ画像を表示するのであれば、制御器３は１つで済ませることもできるし、制御器３も２つにすることもできる。
【００５７】
フィルター６と換気ファン５は両方の液晶モジュールを冷却するために使用する。ファン流路用ダクト１２も、実施例２のファン流路用ダクト１０のように、両方の液晶モジュールの裏面の電気回路を冷却する空気が効率よく流れるような形状にする。
【００５８】
本案内表示器の画面が東西方向を向いている時、東側を向いた画面は午前中に日射を受け、西側を向いた画面は午後、日射を受けることになる。そのため、両方の液晶モジュールを冷却する必要があることから、換気ファン５が両方のモジュールの冷却を兼ねることは効率的である。
【００５９】
また、両面で案内表示を行う場合は、表示器の下を人が通れた方がよく、比較的高い位置に設置するのがよい。その場合、人の視線に合わせ、画面を垂直に配置するよりも、少し下に向けるのがよい。これにより、見易さが増すと同時に、液晶画面の面積あたりに受ける日射のエネルギーが減り、冷却負荷を下げることができる。
【実施例４】
【００６０】
図５により、第４の実施例を説明する。ここでも、第１の実施例および第３の実施例と機能が同じになる箇所は、説明を省略する。
【００６１】
第４の実施例における液晶案内表示器１０３においては、２つある液晶モジュール１のそれぞれの下側に風量支援用ファン１４、風量支援用ファン１５を備えている。このファンは換気ファン５の負荷を減らすためのものであり、風量支援用ファン１４、風量支援用ファン１５が仕事を担う分、換気ファン５の能力を下げることが出来る。
【実施例５】
【００６２】
図５により、第５の実施例を説明する。第５の実施例における液晶案内表示器１０３においては、第４の実施例と同じ構成を持つが、制御器３が風量支援用ファン１４、風量支援用ファン１５の制御も行うことが第４の実施例と異なる。
【００６３】
制御器３は現在の年、季節、月、日付、曜日、時間を管理し、時間帯により風量支援用ファン１４、風量支援用ファン１５それぞれの流量を調整する。たとえば、本案内表示器の風量支援用ファン１４を持つ画面が西を向き、本案内表示器の風量支援用ファン１５を持つ画面が東を向いている時、東側を向いた画面は午前中に日射を受け、西側を向いた画面は午後、日射を受けることになる。
【００６４】
そのため、午前は、東を向いている風量支援用ファン１５を持つ画面の温度上昇が日射により激しいため、風量支援用ファン１５の流量を上げ、風量支援用ファン１４の流量を下げる。午後は、西を向いている風量支援用ファン１４を持つ画面の温度上昇が日射により激しいため、風量支援用ファン１５の流量を上げ、風量支援用ファン１４の流量を下げる。
【００６５】
制御器３は時間帯に限らず風量支援用ファン１４、風量支援用ファン１５それぞれの流量を調整しても良い。たとえば、気温の高い夏季は風量支援用ファン１４、風量支援用ファン１５それぞれの流量を上げ、気温の低い冬季は風量支援用ファン１４、風量支援用ファン１５それぞれの流量を下げても良い。
【００６６】
さらに、制御器３は、年、季節、月、日付、曜日、時間、または、時間帯に基づいて風量支援用ファン１４、風量支援用ファン１５それぞれの流量を調整しても良い。
【００６７】
例えば、夏季と冬季では日照時間帯が異なるので、それぞれの日照時間帯には風量支援用ファン１４、風量支援用ファン１５それぞれの流量を上げ、それ以外の時間帯は風量支援用ファン１４、風量支援用ファン１５それぞれの流量を下げても良い。
【実施例６】
【００６８】
図５により、第６の実施例を説明する。第６の実施例における液晶案内表示器１０３においては、第５の実施例と同じ構成を持つが、液晶モジュール１が温度センサを持ち、液晶モジュール１の温度を測定するとともに、そのデータを制御器３に転送することが異なる。
【００６９】
制御器３は受け取った液晶モジュール１の温度により、風量支援用ファン１４、風量支援用ファン１５の制御を行う。これにより、たとえば日射を受けて温度上昇が激しい面の風量支援用ファンの流量を増やし、温度上昇が激しくない面の風量支援用ファンの流量は下げるという処理ができ、適切に熱伝達率を調整することができる。
【実施例７】
【００７０】
図６により、第７の実施例を説明する。第７の実施例における液晶案内表示器１０４においては、第１の実施例とファン流路用ダクト８とファン流路用ダクト１６の形状が異なる。その他は第一の実施例と同じである。
【００７１】
ファン流路用ダクト１６は、液晶モジュール１の電気回路の冷却に寄与する空気だけに限定するために用いる。そこで、換気ファン５が吸込む空気を、液晶モジュール１の電気回路のより近傍の空気だけに限定するため、液晶モジュール１の電気回路をファン流路用ダクト１６で覆う。ファン流路用ダクト１６の構造図を図９に示す。
【００７２】
本実施例により、冷却に寄与する空気のみを換気ファン５が吸い込むように流路を構成することができ、必要な箇所への冷却空気の流量を確保し、効率的な冷却を行う上で有効となる。
【実施例８】
【００７３】
図３により、第８の実施例を説明する。第８の実施例における液晶案内表示器１０１においては、第２の実施例と同じ構成を持つが、制御器３が風量支援用ファン９の制御も行うことが第２の実施例と異なる。
【００７４】
制御器３は現在の年、季節、月、日付、曜日、時間を管理し、時間帯により風量支援用ファン９の流量を調整する。
【００７５】
たとえば、気温の高い夏季は風量支援用ファン９の流量を上げ、気温の低い冬季は風量支援用ファン９の流量を下げても良い。
【００７６】
さらに、夏季と冬季では日照時間帯が異なるので、それぞれの日照時間帯には風量支援用ファン９の流量を上げ、それ以外の時間帯は風量支援用ファン９の流量を下げても良い。
【００７７】
また、環境の騒音が大きい場合、風量支援用ファン９の発する騒音は気にされにくい。そのため、人出が多く環境の騒音が大きい月、日、曜日、あるいは時間には、風量支援用ファン９の流量を上げ冷却性能を上げることにより、液晶モジュール１を冷却しその寿命を延ばすようにしても良い。
【００７８】
さらに、液晶案内表示器１０１の各部品の経年劣化により発熱量が増加したり、風量支援用ファン９の性能が低下することを踏まえ、年によって風量支援用ファン９の流量を調整しても良い。例えば、液晶案内表示器１０１を設置、あるいは、保守した年、月、日、時からの時間の経過に従い、風量支援用ファン９の回転数を上げるようにしても良い。
【実施例９】
【００７９】
図３により、第９の実施例を説明する。第９の実施例における液晶案内表示器１０１においては、第８の実施例と同じ構成を持つが、液晶モジュール１が温度センサを持ち、液晶モジュール１の温度を測定するとともに、そのデータを制御器３に転送することが異なる。
【００８０】
制御器３は受け取った液晶モジュール１の温度により、風量支援用ファン９の制御を行う。これにより、たとえば日射を受けて温度上昇が激しい面の風量支援用ファンの流量を増やし、温度上昇が激しくない面の風量支援用ファンの流量は下げるという処理ができ、適切に熱伝達率を調整することができる。
【００８１】
なお、本発明は上記した実施例に限定されるものではなく、様々な変形例が含まれる。上記した実施例は本発明を分かりやすく説明するために詳細に説明したものであり、必ずしも説明した全ての構成を備えるものに限定されるものではない。
【００８２】
例えば、液晶モジュール１の代わりに、案内表示が行える他の表示装置を用いても良い。例を挙げるならば、プラズマディスプレイ、ＬＥＤ（Ｌｉｇｈｔ  Ｅｍｉｔｔｉｎｇ  Ｄｉｏｄｅ）を用いた表示器、ＣＲＴ（Ｃａｔｈｏｄｅ  Ｒａｙ  Ｔｕｂｅ）、字幕、反転フラップ、ポスターなどがある。
【００８３】
また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００８４】
１  液晶モジュール
２  透明板
３  制御器
４、１１  筺体
５  換気ファン
６  フィルター
７  雨水用カバー
８、１０、１２、１６  ファン流路用ダクト
９、１４、１５  風量支援用ファン
１３  ルーバー
２１、２８  反射防止フィルム
２２、２７  極薄ガラス
２３  赤外線吸収層
２４、２６  粘着層
２５  樹脂板
１００、１０１、１０２、１０３、１０４  液晶案内表示器
【図１】
0006685141.tif 000002
【図２】
0006685141.tif 000003
【図３】
0006685141.tif 000004
【図４】
0006685141.tif 000005
【図５】
0006685141.tif 000006
【図６】
0006685141.tif 000007
【図７】
0006685141.tif 000008
【図８】
0006685141.tif 000009
【図９】
0006685141.tif 000010